(57)【要約】【課題】装置の使用態様に応じた撮像動作に関する制御を適切に行う。【解決手段】撮像システムは、撮像装置および情報処理装置を具備する。撮像装置は、光学系を収容する鏡筒における物体の接触を検出する接触検出部と、その検出された物体の接触に関する接触情報を情報処理装置に無線通信を利用して送信する制御を行う制御部とを備える。情報処理装置は、撮像装置との間で無線通信を行う無線通信部と、その接触情報に基づいて撮像装置を用いて行われる撮像動作に関する制御を行う制御部とを備える。【選択図】図３
2016005239.tif 000002
【特許請求の範囲】
【請求項１】
光学系を収容する鏡筒における物体の接触状態に基づいて撮像動作に関する制御を行う制御部を具備する情報処理装置。
【請求項２】
前記制御部は、前記鏡筒の側面において物体の接触が検出されたか否かに基づいて前記鏡筒がユーザにより握られた状態であるか否かを判断し、当該判断結果に基づいて前記撮像動作に関する制御を行う請求項１記載の情報処理装置。
【請求項３】
前記制御部は、前記鏡筒の側面における所定領域で物体の接触が検出された場合には前記鏡筒がユーザにより握られた状態であると判断する請求項２記載の情報処理装置。
【請求項４】
前記鏡筒を備える撮像装置との間で無線通信を行う無線通信部をさらに具備し、
前記撮像装置は、前記鏡筒における物体の接触状態に関する接触情報を前記情報処理装置に無線通信を利用して送信し、
前記制御部は、前記接触情報に基づいて前記撮像動作に関する制御を行う
請求項１記載の情報処理装置。
【請求項５】
前記制御部は、前記撮像装置との相対的な位置関係と前記接触情報とに基づいて前記撮像動作に関する制御を行う請求項４記載の情報処理装置。
【請求項６】
前記制御部は、前記撮像装置が前記情報処理装置に装着され、かつ、前記撮像装置により前記物体の接触が検出された場合には、前記撮像装置に動画モードを設定するための制御を行う請求項５記載の情報処理装置。
【請求項７】
前記制御部は、前記撮像装置が前記情報処理装置に装着され、かつ、前記撮像装置により前記物体の接触が検出された場合には、前記動画モードに対応する表示画面を表示部に表示させる制御を行う請求項６記載の情報処理装置。
【請求項８】
前記制御部は、前記撮像装置が前記情報処理装置に装着され、かつ、前記撮像装置により前記物体の接触が検出されていない場合には、前記撮像装置に静止画モードを設定するための制御を行う請求項５記載の情報処理装置。
【請求項９】
前記制御部は、前記撮像装置が前記情報処理装置に装着され、かつ、前記撮像装置により前記物体の接触が検出されていない場合には、前記静止画モードに対応する表示画面を表示部に表示させる制御を行う請求項８記載の情報処理装置。
【請求項１０】
前記制御部は、前記情報処理装置における前記撮像装置の装着位置と前記接触情報とに基づいて前記撮像動作に関する制御を行う請求項５記載の情報処理装置。
【請求項１１】
前記制御部は、前記物体の接触状態に基づいて前記撮像動作を行うための撮像モードを設定する制御を行う請求項１記載の情報処理装置。
【請求項１２】
前記制御部は、前記物体の接触状態に基づいて前記撮像動作に関する画像を表示する表示画面の表示態様を変更する制御を行う請求項１記載の情報処理装置。
【請求項１３】
光学系を収容する鏡筒における物体の接触状態に基づいて撮像動作に関する制御を行う制御部を具備する撮像装置。
【請求項１４】
光学系を収容する鏡筒における物体の接触を検出する接触検出部と、前記検出された物体の接触に関する接触情報を情報処理装置に無線通信を利用して送信する制御を行う制御部とを備える撮像装置と、
前記撮像装置との間で無線通信を行う無線通信部と、前記接触情報に基づいて前記撮像装置を用いて行われる撮像動作に関する制御を行う制御部とを備える情報処理装置と
を具備する撮像システム。
【請求項１５】
光学系を収容する鏡筒における物体の接触状態に基づいて撮像動作に関する制御を行う制御手順を具備する情報処理装置の制御方法。
【請求項１６】
光学系を収容する鏡筒における物体の接触状態に基づいて撮像動作に関する制御を行う制御手順をコンピュータに実行させるプログラム。
【発明の詳細な説明】
【技術分野】
【０００１】
本技術は、情報処理装置および撮像装置に関する。詳しくは、撮像動作に関する制御を行う情報処理装置、撮像装置、撮像システムおよびこれらの制御方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。
【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。
【０００６】
ここで、例えば、無線通信を利用して撮像装置を操作することが可能な情報処理装置とその撮像装置とを用いて撮像動作を行う場合を想定する。この場合には、撮像装置および情報処理装置の接続関係や撮像装置の持ち方等により、撮像装置および情報処理装置の使用態様が異なることが想定される。このため、撮像装置および情報処理装置を用いて撮像動作を行う場合には、その使用態様に応じて撮像動作に関する制御を適切に行うことが重要である。
【０００７】
本技術はこのような状況に鑑みて生み出されたものであり、装置の使用態様に応じた撮像動作に関する制御を適切に行うことを目的とする。
【課題を解決するための手段】
【０００８】
本技術は、上述の問題点を解消するためになされたものであり、その第１の側面は、光学系を収容する鏡筒における物体の接触状態に基づいて撮像動作に関する制御を行う制御部を具備する情報処理装置およびその制御方法ならびに当該方法をコンピュータに実行させるプログラムである。これにより、鏡筒における物体の接触状態に基づいて撮像動作に関する制御を行うという作用をもたらす。
【０００９】
また、この第１の側面において、上記制御部は、上記鏡筒の側面において物体の接触が検出されたか否かに基づいて上記鏡筒がユーザにより握られた状態であるか否かを判断し、当該判断結果に基づいて上記撮像動作に関する制御を行うようにしてもよい。これにより、鏡筒の側面において物体の接触が検出されたか否かに基づいて、鏡筒がユーザにより握られた状態であるか否かを判断し、その判断結果に基づいて撮像動作に関する制御を行うという作用をもたらす。
【００１０】
また、この第１の側面において、上記制御部は、上記鏡筒の側面における所定領域で物体の接触が検出された場合には上記鏡筒がユーザにより握られた状態であると判断するようにしてもよい。これにより、鏡筒の側面における所定領域で物体の接触が検出された場合には、鏡筒がユーザにより握られた状態であると判断するという作用をもたらす。
【００１１】
また、この第１の側面において、上記鏡筒を備える撮像装置との間で無線通信を行う無線通信部をさらに具備し、上記撮像装置は、上記鏡筒における物体の接触状態に関する接触情報を上記情報処理装置に無線通信を利用して送信し、上記制御部は、上記接触情報に基づいて上記撮像動作に関する制御を行うようにしてもよい。これにより、撮像装置は、鏡筒における物体の接触状態に関する接触情報を情報処理装置に無線通信を利用して送信し、情報処理装置は、その接触情報に基づいて撮像動作に関する制御を行うという作用をもたらす。
【００１２】
また、この第１の側面において、上記制御部は、上記撮像装置との相対的な位置関係と上記接触情報とに基づいて上記撮像動作に関する制御を行うようにしてもよい。これにより、撮像装置との相対的な位置関係と、接触情報とに基づいて、撮像動作に関する制御を行うという作用をもたらす。
【００１３】
また、この第１の側面において、上記制御部は、上記撮像装置が上記情報処理装置に装着され、かつ、上記撮像装置により上記物体の接触が検出された場合には、上記撮像装置に動画モードを設定するための制御を行うようにしてもよい。これにより、撮像装置が情報処理装置に装着され、かつ、撮像装置により物体の接触が検出された場合には、撮像装置に動画モードを設定するという作用をもたらす。
【００１４】
また、この第１の側面において、上記制御部は、上記撮像装置が上記情報処理装置に装着され、かつ、上記撮像装置により上記物体の接触が検出された場合には、上記動画モードに対応する表示画面を表示部に表示させる制御を行うようにしてもよい。これにより、撮像装置が情報処理装置に装着され、かつ、撮像装置により物体の接触が検出された場合には、動画モードに対応する表示画面を表示部に表示させるという作用をもたらす。
【００１５】
また、この第１の側面において、上記制御部は、上記撮像装置が上記情報処理装置に装着され、かつ、上記撮像装置により上記物体の接触が検出されていない場合には、上記撮像装置に静止画モードを設定するための制御を行うようにしてもよい。これにより、撮像装置が情報処理装置に装着され、かつ、撮像装置により物体の接触が検出されていない場合には、撮像装置に静止画モードを設定するという作用をもたらす。
【００１６】
また、この第１の側面において、上記制御部は、上記撮像装置が上記情報処理装置に装着され、かつ、上記撮像装置により上記物体の接触が検出されていない場合には、上記静止画モードに対応する表示画面を表示部に表示させる制御を行うようにしてもよい。これにより、撮像装置が情報処理装置に装着され、かつ、撮像装置により物体の接触が検出されていない場合には、静止画モードに対応する表示画面を表示部に表示させるという作用をもたらす。
【００１７】
また、この第１の側面において、上記制御部は、上記情報処理装置における上記撮像装置の装着位置と上記接触情報とに基づいて上記撮像動作に関する制御を行うようにしてもよい。これにより、情報処理装置における撮像装置の装着位置と、接触情報とに基づいて、撮像動作に関する制御を行うという作用をもたらす。
【００１８】
また、この第１の側面において、上記制御部は、上記物体の接触状態に基づいて上記撮像動作を行うための撮像モードを設定する制御を行うようにしてもよい。これにより、物体の接触状態に基づいて撮像モードを設定するという作用をもたらす。
【００１９】
また、この第１の側面において、上記制御部は、上記物体の接触状態に基づいて上記撮像動作に関する画像を表示する表示画面の表示態様を変更する制御を行うようにしてもよい。これにより、物体の接触状態に基づいて、撮像動作に関する画像を表示する表示画面の表示態様を変更するという作用をもたらす。
【００２０】
また、本技術の第２の側面は、光学系を収容する鏡筒における物体の接触状態に基づいて撮像動作に関する制御を行う制御部を具備する撮像装置およびその制御方法ならびに当該方法をコンピュータに実行させるプログラムである。これにより、鏡筒における物体の接触状態に基づいて撮像動作に関する制御を行うという作用をもたらす。
【００２１】
また、本技術の第３の側面は、光学系を収容する鏡筒における物体の接触を検出する接触検出部と、上記検出された物体の接触に関する接触情報を情報処理装置に無線通信を利用して送信する制御を行う制御部とを備える撮像装置と、上記撮像装置との間で無線通信を行う無線通信部と、上記接触情報に基づいて上記撮像装置を用いて行われる撮像動作に関する制御を行う制御部とを備える情報処理装置とを具備する撮像システムおよびその制御方法ならびに当該方法をコンピュータに実行させるプログラムである。これにより、撮像装置は、鏡筒における物体の接触を検出すると、その検出された物体の接触に関する接触情報を情報処理装置に無線通信を利用して送信し、情報処理装置は、撮像装置からの接触情報に基づいて、撮像装置を用いて行われる撮像動作に関する制御を行うという作用をもたらす。
【発明の効果】
【００２２】
本技術によれば、装置の使用態様に応じた撮像動作に関する制御を適切に行うことができるという優れた効果を奏し得る。なお、ここに記載された効果は必ずしも限定されるものではなく、本開示中に記載されたいずれかの効果であってもよい。
【図面の簡単な説明】
【００２３】
【図１】本技術の第１の実施の形態における撮像装置１００の外観構成を示す図である。
【図２】本技術の第１の実施の形態における撮像装置１００を情報処理装置２００に取り付けた場合の外観構成を示す図である。
【図３】本技術の第１の実施の形態における撮像装置１００および情報処理装置２００の機能構成例を示すブロック図である。
【図４】本技術の第１の実施の形態における撮像装置１００および情報処理装置２００の使用例を示す図である。
【図５】本技術の第１の実施の形態における撮像装置１００および情報処理装置２００に設定される撮像モードと情報処理装置２００に表示されるＵＩとの関係例を示す図である。
【図６】本技術の第１の実施の形態における入出力部２４０に表示される表示画面の表示例を示す図である。
【図７】本技術の第１の実施の形態における入出力部２４０に表示される表示画面の表示例を示す図である。
【図８】本技術の第１の実施の形態における入出力部２４０に表示される表示画面の表示例を示す図である。
【図９】本技術の第１の実施の形態における撮像装置１００による握り判定処理の処理手順の一例を示すフローチャートである。
【図１０】本技術の第１の実施の形態における情報処理装置２００による撮像モードおよびＵＩ設定処理の処理手順の一例を示すフローチャートである。
【図１１】本技術の第２の実施の形態における撮像装置１００および情報処理装置２００の使用例を示す図である。
【図１２】本技術の第２の実施の形態における撮像装置１００および情報処理装置２００に設定される撮像モードと情報処理装置２００に表示されるＵＩとの関係例を示す図である。
【図１３】本技術の第２の実施の形態における入出力部２４０に表示される表示画面の表示例を示す図である。
【図１４】本技術の第２の実施の形態における情報処理装置２００による撮像モードおよびＵＩ設定処理の処理手順の一例を示すフローチャートである。
【図１５】本技術の第２の実施の形態における撮像装置１００および情報処理装置２００の取付例を示す図である。
【発明を実施するための形態】
【００２４】
以下、本技術を実施するための形態（以下、実施の形態と称する）について説明する。説明は以下の順序により行う。
１．第１の実施の形態（撮像装置の握り状態に基づいて撮像モードおよびＵＩを設定する例）
２．第２の実施の形態（撮像装置の握り状態および情報処理装置における撮像装置の取付位置に基づいて撮像モードおよびＵＩを設定する例）
【００２５】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００２６】
また、本技術の実施の形態では、撮像装置１００を、円筒形（円柱形）の撮像装置（例えば、レンズスタイルのカメラ）とする例を示す。すなわち、撮像装置１００の形状を、一般の撮像装置（例えば、一体型カメラ）のレンズ部分のみを取り出したような形状とする例を示す。なお、撮像装置１００は、ズームレバーやシャッターボタン等の操作部材を備えるが、図１等では、これらの図示を省略する。また、撮像装置１００は、例えば、デジタルスチルカメラやデジタルビデオカメラ（例えば、カメラ一体型レコーダ）により実現される。
【００２７】
撮像装置１００は、接触検出部１６０および鏡筒１７０を備える。鏡筒１７０は、光学系、撮像系等の各部材を収容するものである。
【００２８】
接触検出部１６０は、撮像装置１００の側面（鏡筒１７０の側面）における接触を検出するものである。なお、図１では、説明の容易のため、接触検出部１６０を構成する複数のセンサを点線の矩形で模式的に示す。また、接触検出部１６０を構成するセンサは、面積の広いセンサを１つ設置するようにしてもよく、面積の狭いセンサを複数設置するようにしてもよい。また、接触検出部１６０を構成するセンサは、撮像装置１００の側面（鏡筒１７０の側面）の全面に配置するようにしてもよく、撮像装置１００の側面の一部のみに設置するようにしてもよい。なお、接触検出部１６０を構成するセンサを、撮像装置１００の側面の一部のみに設置する場合には、撮像装置１００においてユーザが握ると想定される部分に設置することが好ましい。撮像装置１００においてユーザが握ると想定される部分は、例えば、撮像装置１００の右側部分（例えば、図４のｂに示す右手２の握り部分）である。
【００２９】
また、撮像装置１００には、アダプタ１８０が取り付けられる。アダプタ１８０は、取付部材１８１、１８２を備え、撮像装置１００の後方の面（図１のａに示すレンズ側の面の反対側の面）に着脱可能な取付部材（アタッチメント）である。なお、図１では、鏡筒１７０およびアダプタ１８０を異なる部材として構成する例を示すが、鏡筒１７０およびアダプタ１８０を一体として構成するようにしてもよい。
【００３０】
取付部材１８１、１８２は、撮像装置１００を他の装置（例えば、図２に示す情報処理装置２００）に取り付ける際に用いられる挟持部材である。例えば、他の装置の形状、サイズに応じて、取付部材１８１を矢印１８３方向に移動させ、取付部材１８２を矢印１８４方向に移動させることにより、撮像装置１００をその装置に取り付けることができる。すなわち、取付部材１８１、１８２は、撮像装置１００を他の装置に固定するための挟持部材である。また、撮像装置１００を他の装置に装着する場合のアタッチメント面を装着面１８５（図１のａに示すレンズ側の面の反対側の面）として示す。なお、撮像装置１００を他の装置に取り付ける場合の例を図２に示す。
【００３１】
このように、撮像装置１００は、例えば、通常の撮像動作を行うことが可能であるとともに、他の装置（例えば、スマートフォン）に装着して使用することができる。また、他の装置に装着して使用する場合には、他の装置を用いた遠隔操作により撮像装置１００を操作することができる。
【００３２】
［撮像装置の取付例］
図２は、本技術の第１の実施の形態における撮像装置１００を情報処理装置２００に取り付けた場合の外観構成を示す図である。
【００３３】
図２のａおよびｂには、情報処理装置２００の一面（撮像部２９２が備えられている面）に撮像装置１００を取り付けた場合の例を示す。図２のａには、情報処理装置２００に撮像装置１００を取り付けた場合の正面図を示す。また、図２のｂには、情報処理装置２００に撮像装置１００を取り付けた場合の斜視図を示す。
【００３４】
情報処理装置２００は、操作部材２２１乃至２２３と、入出力部２４０（図３、図５等に示す）と、音声出力部２８０と、発光部２９１と、撮像部２９２とを備える。なお、情報処理装置２００は、例えば、スマートフォン、タブレット端末等の情報処理装置により実現される。
【００３５】
操作部材２２１乃至２２３は、各種の操作入力を行う際に用いられる操作部材である。例えば、操作部材２２１は、情報処理装置２００のシャッター操作（撮像部２９２により生成される画像（画像データ）を画像コンテンツとして記録するための操作）を行う際に用いられる操作部材（シャッターボタン）である。また、操作部材２２２は、音声出力部２８０から出力される音量を調整するための操作を行う際に用いられる操作部材（音量調整ボタン（音量バー））である。また、操作部材２２３は、情報処理装置２００の電源のオンオフ操作を行う際に用いられる操作部材（電源ボタン）である。
【００３６】
入出力部２４０は、各種画像を表示するとともに、入出力部２４０の表示面に近接または接触する物体の検出状態に基づいてユーザからの操作入力を受け付けるものである。
【００３７】
音声出力部２８０は、各種の音声情報を出力するものである。
【００３８】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００３９】
撮像部２９２は、被写体を撮像して画像（画像データ）を生成するものである。
【００４０】
図２に示すように、アダプタ１８０の取付部材１８１、１８２により情報処理装置２００の本体を挟むことにより、撮像装置１００を情報処理装置２００に固定することができる。なお、情報処理装置２００における他の部分（図２に示す部分以外の部分）に撮像装置１００を取り付けるようにしてもよい。情報処理装置２００における他の部分への撮像装置１００の取付例については、図１１、図１５等に示す。
【００４１】
［撮像装置および情報処理装置の機能構成例］
図３は、本技術の第１の実施の形態における撮像装置１００および情報処理装置２００の機能構成例を示すブロック図である。なお、撮像装置１００および情報処理装置２００により構成される撮像システムは、特許請求の範囲に記載の撮像システムの一例である。
【００４２】
［撮像装置の機能構成例］
撮像装置１００は、撮像部１１０と、画像処理部１２０と、記憶部１３０と、制御部１４０と、無線通信部１５０と、接触検出部１６０とを備える。
【００４３】
撮像部１１０は、制御部１４０の制御に基づいて、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するための画像データとの両方の意味を含むものとする。
【００４４】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００４５】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００４６】
制御部１４０は、制御プログラムに基づいて撮像装置１００における各部を制御するものである。例えば、制御部１４０は、撮像装置１００に備えられているズームレバーやシャッターボタン等の操作部材（図示せず）により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。
【００４７】
無線通信部１５０は、制御部１４０の制御に基づいて、無線通信を利用して、他の情報処理装置（例えば、情報処理装置２００）との間で各情報（例えば、制御データ、画像データ）の送受信を行うものである。
【００４８】
ここで、無線通信として、例えば、無線ＬＡＮ（Local Area Network）を用いることができる。この無線ＬＡＮとして、例えば、Ｗｉ−Ｆｉ（Wireless Fidelity）を用いることができる。また、無線通信として、例えば、Ｂｌｕｅｔｏｏｔｈ（登録商標）、ＮＦＣ（Near Field Communication）、赤外線、携帯電波等の無線通信を用いることができる。
【００４９】
また、複数の無線通信方式を用いることができる。例えば、無線通信の開始時には、ＮＦＣにより電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００５０】
また、例えば、撮像装置１００の情報処理装置２００への装着を検出する際には、ＮＦＣによるデータのやりとりを用いることができる。また、撮像装置１００および情報処理装置２００間の画像データや制御データのやりとりについては、Ｗｉ−Ｆｉを利用して行うことができる。
【００５１】
接触検出部１６０は、撮像装置１００の側面（鏡筒１７０の側面）において物体の接触を検出するものであり、その検出結果（物体の接触状態に関する情報（接触情報））を制御部１４０に出力する。例えば、接触検出部１６０は、撮像装置１００の側面（鏡筒１７０の側面）において物体の接触を検出した領域に関する情報（例えば、接触位置や接触面積）を検出結果（接触情報）として制御部１４０に出力する。ここで、撮像装置１００の側面は、円筒形の撮像装置１００の両端部の端面（図１のａに示すレンズ側の面、その反対側の面）以外の面を意味するものとする。
【００５２】
また、接触検出部１６０として、例えば、１または複数のセンサを用いることができる。例えば、１または複数のタッチセンサ（例えば、静電容量式タッチセンサ）を用いることができる。また、撮像装置１００の側面において、物体の接触を検出するための検出部材（例えば、スイッチ）を設け、この検出部材の変化を用いて撮像装置１００の側面において物体の接触を検出するようにしてもよい。
【００５３】
また、制御部１４０は、接触検出部１６０から出力された接触情報を無線通信部１５０を介して情報処理装置２００に送信する。
【００５４】
［情報処理装置の機能構成例］
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００５５】
姿勢検出部２１０は、情報処理装置２００の加速度、動き、傾き等を検出することにより情報処理装置２００の姿勢を検出するものであり、検出された姿勢に関する姿勢情報を制御部２５０に出力する。なお、姿勢検出部２１０として、例えば、ジャイロセンサ、加速度センサ等の各種センサを用いることができる。
【００５６】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２に示す操作部材２２１乃至２２３に対応する。
【００５７】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電波等を用いることができる。また、複数の無線通信方式を用いるようにしてもよい。
【００５８】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００５９】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００６０】
例えば、ユーザは表示部２４２に表示されている操作対象物等の接触操作（または、近接操作）を行うことにより情報処理装置２００や撮像装置１００の操作が可能となる。ここで、操作対象物は、例えば、図５に示すシャッターボタン３０１、操作対象物３０２のように、入出力部２４０に表示されるものであり、操作入力を行うための操作ボタン（ＧＵＩ（Graphical User Interface）ボタン）等である。
【００６１】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面の表示態様を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。
【００６２】
また、例えば、制御部２５０は、撮像装置１００の鏡筒１７０における物体の接触状態（例えば、ユーザの握り状態）に基づいて、撮像動作に関する制御を行う。例えば、制御部２５０は、鏡筒１７０の側面において物体の接触が検出されたか否かに基づいて、鏡筒１７０がユーザにより握られた状態であるか否かを判断する。この場合に、制御部２５０は、鏡筒１７０の側面における所定領域で物体の接触が検出された場合には、鏡筒１７０がユーザにより握られた状態であると判断することができる。ここで、鏡筒１７０の側面における所定領域は、例えば、情報処理装置２００に装着された場合に撮像装置１００においてユーザが握ると想定される部分である。この部分は、例えば、撮像装置１００の右側部分（例えば、図４のｂに示す右手２の握り部分）である。また、例えば、制御部２５０は、鏡筒１７０の側面において閾値以上の領域（例えば、３０％以上の領域）で物体の接触が検出された場合には、鏡筒１７０がユーザにより握られた状態であると判断するようにしてもよい。そして、制御部２５０は、その判断結果に基づいて、撮像動作に関する制御を行う。
【００６３】
ここで、制御部２５０は、撮像装置１００の鏡筒１７０における物体の接触状態（例えば、ユーザの握り状態）は、撮像装置１００から送信される接触情報に基づいて判断することができる。すなわち、制御部２５０は、その接触情報に基づいて撮像動作に関する制御を行うことができる。
【００６４】
また、例えば、制御部２５０は、撮像装置１００との相対的な位置関係と、その接触情報とに基づいて、撮像動作に関する制御を行うことができる。例えば、制御部２５０は、撮像装置１００が情報処理装置２００に装着され、かつ、撮像装置１００により物体の接触が検出された場合には、撮像装置１００に動画モードを設定するための制御を行う。この場合には、制御部２５０は、その動画モードに対応する表示画面（例えば、図７に示す動画撮影ＵＩ）を入出力部２４０に表示させる制御を行う。
【００６５】
また、例えば、制御部２５０は、撮像装置１００が情報処理装置２００に装着され、かつ、撮像装置１００により物体の接触が検出されていない場合には、撮像装置１００に静止画モードを設定するための制御を行う。この場合には、制御部２５０は、その静止画モードに対応する表示画面（例えば、図８に示す一体型カメラＵＩ）を入出力部２４０に表示させる制御を行う。
【００６６】
このように、制御部２５０は、撮像装置１００の鏡筒１７０における物体の接触状態に基づいて、撮像動作を行うための撮像モードを設定する制御を行うことができる。また、制御部２５０は、撮像装置１００の鏡筒１７０における物体の接触状態に基づいて、撮像動作に関する画像を表示する表示画面の表示態様を変更する制御を行うことができる。
【００６７】
画像処理部２６０は、制御部２５０の制御に基づいて、撮像装置１００により生成された画像や撮像部２９２（図２のａおよびｂに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００６８】
記憶部２７０は、制御部２５０の制御に基づいて、各情報を記憶する記録媒体である。例えば、記憶部２７０には、撮像装置１００により生成された画像や撮像部２９２（図２のａおよびｂに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００６９】
音声出力部２８０は、制御部２５０の制御に基づいて、音声情報を出力するものである。音声出力部２８０は、例えば、スピーカにより実現することができる。
【００７０】
［撮像装置および情報処理装置の使用例］
図４は、本技術の第１の実施の形態における撮像装置１００および情報処理装置２００の使用例を示す図である。なお、図４では、説明の容易のため、撮像装置１００および情報処理装置２００の一部を簡略化して示す。
【００７１】
図４のａには、撮像装置１００を情報処理装置２００に装着せずに、情報処理装置２００を用いた操作により撮像動作を行う場合の一例を示す。例えば、ユーザ１は、情報処理装置２００を縦向き状態として使用することができる。
【００７２】
ここで、縦向き状態は、情報処理装置２００の長手方向を垂直方向（重力方向と平行な方向）と同一（略同一、水平方向に近い状態を含む）とする状態を意味するものとする。例えば、入出力部２４０の表示面に直交する軸を回転軸として、横向き状態の情報処理装置２００を９０度回転させることにより、情報処理装置２００を縦向き状態とすることができる。同様に、入出力部２４０の表示面に直交する軸を回転軸として、縦向き状態の情報処理装置２００を９０度回転させることにより、情報処理装置２００を横向き状態とすることができる。また、横向き状態、縦向き状態は、姿勢検出部２１０からの姿勢情報に基づいて判断することができる。
【００７３】
また、横向き状態は、情報処理装置２００の長手方向を水平方向（重力方向と垂直な方向）と同一（略同一、水平方向に近い状態を含む）とする状態を意味するものとする。例えば、図２のａおよびｂに示す状態である。
【００７４】
図４のｂおよびｃには、情報処理装置２００に撮像装置１００を装着して使用する場合の例を示す。例えば、図２のａおよびｂに示すように、情報処理装置２００の一面（入出力部２４０が設けられている面の反対側の面）に撮像装置１００を装着することができる。
【００７５】
ここで、例えば、現在広く普及しているデジタルビデオカメラ（例えば、カメラ一体型レコーダ）を用いて動画撮影を行う場合を想定する。例えば、そのデジタルビデオカメラを用いて、モニタを確認しながら、動画撮影を行う場合を想定する。この場合には、レンズが格納されている部分（鏡筒部分）の右側部分をユーザの右手で包むように握りながら撮影を行う撮影スタイルが構えやすく一般的とされている。
【００７６】
ここで、撮像装置１００および情報処理装置２００を用いた撮影でも、動画撮影は可能である。このため、撮像装置１００および情報処理装置２００を用いた動画撮影でも、現在広く普及しているデジタルビデオカメラを用いた動画撮影の撮影スタイルで、撮影を行うことができれば、ユーザは撮影を行い易いと考えられる。そこで、本技術の実施の形態では、図４のｂに示すように、ユーザの右手２で撮像装置１００の右側部分を包むように握られている場合には、動画モードを設定し、動画撮影ＵＩを表示する。
【００７７】
また、例えば、現在広く普及している一体型カメラ（例えば、デジタルスチルカメラ（例えば、一眼レフカメラ））を用いて静止画撮影を行う場合を想定する。例えば、その一体型カメラを用いて、モニタを確認しながら、静止画撮影を行う場合を想定する。この場合には、一体型カメラの本体をユーザの右手で保持しながら、レンズが格納されている部分（鏡筒部分）の一部（例えば、下側部分）をユーザの左手で軽く握りながら撮影を行う撮影スタイルが構えやすく一般的とされている。
【００７８】
ここで、撮像装置１００および情報処理装置２００を用いた撮影でも、静止画撮影は可能である。このため、撮像装置１００および情報処理装置２００を用いた静止画撮影でも、現在広く普及している一体型カメラを用いた静止画撮影の撮影スタイルで、撮影を行うことができれば、ユーザは撮影を行い易いと考えられる。そこで、本技術の実施の形態では、図４のｃに示すように、情報処理装置２００をユーザ３の右手４で保持しながら、撮像装置１００の下側部分をユーザ３の左手５で軽く握られているような場合には、静止画モードを設定し、一体型カメラＵＩを表示する。なお、図４のｃに示す例では、撮像装置１００の下側部分におけるユーザ３の左手５の接触面積が小さいため、ユーザ３の左手５の接触が検出されないものとする。
【００７９】
このように、撮像モードおよびＵＩを設定することにより、ユーザの利便性をさらに向上させることができる。すなわち、デジタルスチルカメラや一体型カメラのように、撮像装置１００を違和感なく使用することができる。
【００８０】
［撮像モードおよびＵＩの設定例］
図５は、本技術の第１の実施の形態における撮像装置１００および情報処理装置２００に設定される撮像モードと情報処理装置２００に表示されるＵＩとの関係例を示す図である。
【００８１】
例えば、撮像装置１００が情報処理装置２００に装着されている場合には、ユーザは、撮像装置１００および情報処理装置２００を用いて撮像動作を行うことが推定される。そこで、ユーザによる撮像装置１００の握り具合に応じて、撮像モードおよびＵＩ表示を設定するようにする。
【００８２】
例えば、撮像装置１００が情報処理装置２００に装着されている状態で、撮像装置１００がユーザにより握られている場合には、ユーザは、デジタルビデオカメラのように、撮像装置１００および情報処理装置２００を用いて動画撮影を行うことが推定される。そこで、この場合には、撮像装置１００において動画モードが設定され、情報処理装置２００において動画撮影ＵＩが表示される。この動画撮影ＵＩの表示例については、図７に示す。
【００８３】
また、例えば、撮像装置１００が情報処理装置２００に装着されている状態で、撮像装置１００がユーザにより握られていない場合には、ユーザは、一体型カメラのように、撮像装置１００および情報処理装置２００を用いて静止画撮影を行うことが推定される。そこで、この場合には、撮像装置１００において静止画モードが設定され、情報処理装置２００において一体型カメラＵＩが表示される。この動画撮影ＵＩの表示例については、図８に示す。
【００８４】
また、例えば、撮像装置１００が情報処理装置２００に装着されていない場合には、ユーザは、情報処理装置２００を用いて撮像装置１００を遠隔操作しながら撮像動作を行うことが推定される。そこで、この場合には、情報処理装置２００においてリモートＵＩが表示される。このリモートＵＩの表示例については、図６に示す。
【００８５】
［撮像装置および情報処理装置間の接続関係の判定例］
ここで、撮像装置１００および情報処理装置２００間の接続関係を判定する方法について説明する。
【００８６】
［受信電波強度を用いた距離の推定例］
例えば、受信電波強度を用いて撮像装置１００および情報処理装置２００間の距離を推定することができる。例えば、受信電波強度と距離との関係を示すテーブルを予め作成しておき、記憶部２７０に記憶しておく。そして、情報処理装置２００の制御部２５０は、無線通信部２３０により取得された受信電波強度に対応する距離をそのテーブルから取得し、この距離を撮像装置１００および情報処理装置２００間の距離として用いることができる。また、情報処理装置２００の制御部２５０は、そのテーブルから取得された距離が閾値（例えば、１乃至１０ｃｍ）未満である場合には、撮像装置１００が情報処理装置２００に装着されていると判断することができる。
【００８７】
［装着を検出するための部材を用いる例］
例えば、情報処理装置２００に撮像装置１００が装着されたことを検出するための部材を用いて撮像装置１００の装着を検出することができる。その部材として、例えば、撮像装置１００および情報処理装置２００の少なくとも一方にスイッチを設けることができる。
【００８８】
例えば、撮像装置１００にスイッチを設ける場合を想定する。この場合には、情報処理装置２００に撮像装置１００が装着されたときには、そのスイッチによりその装着が検出され、その装着が検出された旨を示す情報が制御部１４０に出力される。そして、その装着が検出された旨を示す情報を取得した場合には、制御部１４０は、その旨を無線通信部１５０を介して情報処理装置２００に送信する。これにより、情報処理装置２００の制御部２５０は、情報処理装置２００に撮像装置１００が装着されたことを検出することができる。
【００８９】
また、例えば、情報処理装置２００にスイッチを設ける場合を想定する。この場合に、情報処理装置２００に撮像装置１００が装着されたときには、そのスイッチによりその装着が検出され、その装着が検出された旨を示す情報が制御部２５０に出力される。これにより、情報処理装置２００の制御部２５０は、情報処理装置２００に撮像装置１００が装着されたことを検出することができる。
【００９０】
また、他のセンサを用いて、撮像装置１００および情報処理装置２００間の距離を検出するようにしてもよい。例えば、距離センサ（例えば、赤外線や超音波を用いて距離を検出するセンサ）を用いることができる。また、例えば、ＧＰＳ（Global Positioning System）を用いて撮像装置１００および情報処理装置２００間の距離を検出するようにしてもよい。例えば、ＧＰＳを用いて撮像装置１００および情報処理装置２００のそれぞれの位置を取得し、これらの位置に基づいて撮像装置１００および情報処理装置２００間の距離を算出することができる。また、情報処理装置２００の制御部２５０は、その算出された距離が閾値（例えば、１乃至１０ｃｍ）未満である場合には、撮像装置１００が情報処理装置２００に装着されていると判断することができる。
【００９１】
［近距離無線通信を用いて撮像装置の装着を検出する例］
例えば、近距離無線通信を用いて撮像装置１００の情報処理装置２００への装着を検出することができる。ここでは、近距離無線通信として、ＮＦＣを用いる例を示す。
【００９２】
例えば、ＮＦＣでは、装置間で定期的な通信が行われる。例えば、情報処理装置２００から定期的にＰｏｌｌｉｎｇ  Ｃｏｍｍａｎｄが発行される。このＰｏｌｌｉｎｇ  Ｃｏｍｍａｎｄは、ＮＦＣ規格で定められているＮＦＣ  Ｔａｇの判別用コマンドである（例えば、NFC Forum Type3 Tag Operation Specification NFC Forum-TS-Type-3-Tag_1.1参照。）。
【００９３】
例えば、定期的に発行されるＰｏｌｌｉｎｇ  Ｃｏｍｍａｎｄに対する応答（Ｐｏｌｌｉｎｇ  Ｒｅｓｐｏｎｃｅ）がある場合には、情報処理装置２００は、近接する装置が存在すると判断することができる。ここで、ＮＦＣを利用したデータ通信が可能となる距離は、１乃至１０ｃｍ程度である。そこで、Ｐｏｌｌｉｎｇ  Ｒｅｓｐｏｎｃｅがある場合には、情報処理装置２００の制御部２５０は、撮像装置１００が情報処理装置２００に装着されたと判断することができる。
【００９４】
また、Ｐｏｌｌｉｎｇ  Ｃｏｍｍａｎｄに対する応答（Ｐｏｌｌｉｎｇ  Ｒｅｓｐｏｎｃｅ）がない場合には、情報処理装置２００は、近接する装置が存在しないと判断することができる。この場合には、情報処理装置２００の制御部２５０は、撮像装置１００が情報処理装置２００に装着されていないと判断することができる。
【００９５】
ここで、ＮＦＣは、広く普及している。また、ＮＦＣは、スマートフォン等の情報処理装置に搭載されていることが多い。このため、ＮＦＣを搭載している情報処理装置の場合には、ＮＦＣを用いた装着の検出を行うことにより、その検出を行うためのハードウエアを新たに設ける必要がない。これにより、情報処理装置の製造コストを低減させることができる。
【００９６】
ここで、例えば、撮像装置が情報処理装置に装着されずに、撮像装置および情報処理装置が近接しているような場合も想定される。このような場合に、ＮＦＣ以外の近距離無線通信を利用して装着検出をすると、撮像装置が装着されていると誤検出されてしまうおそれがあるが、近距離無線通信としてＮＦＣを利用することにより、撮像装置の装着検出の精度を高めることができる。
【００９７】
［Ｃｈｅｃｋ  ＣｏｍｍａｎｄおよびＣｈｅｃｋ  Ｒｅｓｐｏｎｃｅを用いて撮像装置の装着を検出する例］
以上では、ＮＦＣを用いて撮像装置の装着を検出する例を示した。このように、ＮＦＣを用いて撮像装置の装着を検出する場合には、Ｃｈｅｃｋ  ＣｏｍｍａｎｄおよびＣｈｅｃｋ  Ｒｅｓｐｏｎｃｅを用いて撮像装置の装着を検出するようにしてもよい。
【００９８】
例えば、Ｃｈｅｃｋ  ＣｏｍｍａｎｄおよびＣｈｅｃｋ  Ｒｅｓｐｏｎｃｅのやりとりを行い、Ｃｈｅｃｋ  Ｒｅｓｐｏｎｃｅに特定情報が含まれている場合に、撮像装置１００が情報処理装置２００に装着されていると判断することができる。ここで、特定情報は、撮像装置１００を特定するための情報（識別情報）である。また、ｃｈｅｃｋ  ｃｏｍｍａｎｄおよびｃｈｅｃｋ  ｒｅｓｐｏｎｓｅは、ＮＦＣ  ｔａｇの内容を読み出すためのコマンドである。このコマンドは、ＮＦＣ  Ｆｏｒｕｍ  Ｔｙｐｅ３  Ｔａｇ  Ｏｐｅｒａｔｉｏｎ  Ｓｐｅｃｉｆｉｃａｔｉｏｎに定義されている。
【００９９】
例えば、上述したように、Ｐｏｌｌｉｎｇ  Ｃｏｍｍａｎｄの発行、Ｐｏｌｌｉｎｇ  Ｃｏｍｍａｎｄに対する応答（Ｐｏｌｌｉｎｇ  Ｒｅｓｐｏｎｃｅ）のやりとりが行われる。
【０１００】
そして、Ｐｏｌｌｉｎｇ  Ｒｅｓｐｏｎｃｅを受信すると、情報処理装置２００の制御部２５０は、Ｃｈｅｃｋ  Ｃｏｍｍａｎｄを送信する。このＣｈｅｃｋ  Ｃｏｍｍａｎｄを受信すると、撮像装置１００の制御部１４０は、Ｃｈｅｃｋ  Ｃｏｍｍａｎｄに対する応答（Ｃｈｅｃｋ  Ｒｅｓｐｏｎｃｅ）を送信する。この場合に、撮像装置１００の制御部１４０は、特定情報（撮像装置１００を特定するための情報（識別情報））をＣｈｅｃｋ  Ｒｅｓｐｏｎｃｅに含めて送信する。
【０１０１】
例えば、「ＡＢＣ  ＤＳＣ／Ｌｅｎｓ−Ｓｔｙｌｅ  Ｃａｍｅｒａ」を表す情報を特定情報としてＣｈｅｃｋ  Ｒｅｓｐｏｎｃｅに含めて送信することができる。ここで、例えば、「ＡＢＣ」は、撮像装置１００を製造する会社名を示す情報であり、「ＤＳＣ」は、撮像装置である旨を示す情報であるものとする。また、「Ｌｅｎｓ−Ｓｔｙｌｅ  Ｃａｍｅｒａ」は、レンズスタイルのカメラである旨を示す情報であるものとする。
【０１０２】
このように、撮像装置１００の制御部１４０は、特定情報をＣｈｅｃｋ  Ｒｅｓｐｏｎｃｅに含めて送信する。これにより、Ｃｈｅｃｋ  Ｒｅｓｐｏｎｃｅを受信した情報処理装置２００は、Ｃｈｅｃｋ  Ｒｅｓｐｏｎｃｅに含まれる特定情報に基づいて、Ｃｈｅｃｋ  Ｒｅｓｐｏｎｃｅを送信した装置が撮像装置１００であることを把握することができる。すなわち、Ｃｈｅｃｋ  Ｒｅｓｐｏｎｃｅを送信した装置が、「ＡＢＣ」会社製のレンズスタイルのカメラ（撮像装置１００）であることを把握することができる。
【０１０３】
Ｃｈｅｃｋ  Ｒｅｓｐｏｎｃｅを受信すると、情報処理装置２００の制御部２５０は、Ｃｈｅｃｋ  Ｒｅｓｐｏｎｃｅの内容を取得する。続いて、情報処理装置２００の制御部２５０は、Ｃｈｅｃｋ  Ｒｅｓｐｏｎｃｅに特定情報が含まれているか否かを判断する。そして、情報処理装置２００の制御部２５０は、Ｃｈｅｃｋ  Ｒｅｓｐｏｎｃｅに特定情報が含まれている場合には、撮像装置１００が装着されていると判定する。一方、情報処理装置２００の制御部２５０は、Ｃｈｅｃｋ  Ｒｅｓｐｏｎｃｅに特定情報が含まれていない場合には、撮像装置１００が装着されていないと判定する。
【０１０４】
なお、この例では、情報処理装置２００がＮＦＣを用いて撮像装置１００の装着を検出する例を示すが、撮像装置１００がＮＦＣを用いて情報処理装置２００の装着を検出する場合についても同様に適用することができる。
【０１０５】
なお、上述した距離の検出方法や装着の検出方法は、一例であり、これらに限定されるものではなく、他の検出方法を用いるようにしてもよい。
【０１０６】
［表示画面の表示例］
図６乃至図８は、本技術の第１の実施の形態における入出力部２４０に表示される表示画面の表示例を示す図である。
【０１０７】
図６には、撮像装置１００が情報処理装置２００に装着されていない場合に入出力部２４０に表示される表示画面の表示例（リモートＵＩ３００）を示す。リモートＵＩ３００は、情報処理装置２００を用いて撮像装置１００による撮像動作（静止画の撮像動作）を操作するための表示画面である。なお、図６では、情報処理装置２００が縦向き状態で使用されている場合の表示例を示す。
【０１０８】
例えば、撮像装置１００および情報処理装置２００を用いた撮像動作（例えば、静止画の撮像動作）が行われている場合には、撮像装置１００の撮像部１１０により生成された画像がライブビュー画像として入出力部２４０に表示される。すなわち、撮像装置１００の撮像部１１０により生成された画像が、無線通信部１５０、２３０を介して、情報処理装置２００に順次送信され、その画像がライブビュー画像として入出力部２４０に表示される。なお、撮像装置１００および情報処理装置２００間の画像データや制御データのやりとりについては、Ｗｉ−Ｆｉを利用して行うことができる。
【０１０９】
このように、ライブビュー画像が入出力部２４０に表示されている場合に、ユーザがシャッターボタン３０１を押下すると、その押下のタイミングで、撮像部１１０により生成された画像の記録処理が行われる。そして、その記録処理の対象となる画像がポストビュー画像３００として入出力部２４０に表示される。
【０１１０】
なお、ユーザは、撮像装置１００のシャッターボタン（図示せず）を押下して画像の記録指示を行うようにしてもよい。この場合には、その押下のタイミングで、撮像部１１０により生成された画像の記録処理が行われる。また、その押下のタイミングで、その押下が行われた旨と、その押下により画像の記録処理が行われる旨とが、撮像装置１００から情報処理装置２００に送信される。
【０１１１】
図７には、撮像装置１００が情報処理装置２００に装着され、かつ、撮像装置１００が握られていることが検出された場合に入出力部２４０に表示される表示画面の表示例（動画撮影ＵＩ３１０）を示す。動画撮影ＵＩ３１０は、情報処理装置２００を用いて撮像装置１００による撮像動作（動画の撮像動作）を操作するための表示画面である。また、図６に示す表示例と同様に、撮像装置１００の撮像部１１０により生成された画像がライブビュー画像として入出力部２４０に表示される。
【０１１２】
上述したように、一般的なデジタルビデオカメラを用いて動画撮影を行う場合には、右手の４本の指（人差し指から小指）でデジタルビデオカメラの本体を握った状態で行われることが多い。このように、デジタルビデオカメラの本体を握ることにより、ユーザは、ズーム操作、録画開始操作、録画停止操作等の各操作を、表示パネルや他の操作部材（ハードキー）」を用いて右手の親指で容易に行うことができる。このように、一般的なデジタルビデオカメラを用いて動画撮影を行う場合には、ユーザは、片手（右手）で操作することができるようになっている。
【０１１３】
そこで、撮像装置１００が情報処理装置２００に装着されている場合には、情報処理装置２００の入出力部２４０に表示される表示画面（動画撮影ＵＩ３１０）において、動画撮影の操作に頻繁に用いられる操作対象物３１２乃至３１５を右側に配置する。なお、操作対象物３１２は、静止画モードへ遷移する場合に押下される操作対象物である。また、操作対象物３１３、３１４は、ズーム操作を行う場合に押下される操作対象物である。また、操作対象物３１５は、録画開始操作および録画停止操作を行う場合に押下される操作対象物である。これにより、ユーザは、動画撮影ＵＩ３１０において、右手の親指を用いて各操作を容易に行うことができる。これにより、ユーザは、一般的なデジタルビデオカメラと同様の操作感を実現することができる。また、ユーザは、片手での操作を容易に行うことができる。なお、動画撮影ＵＩ３１０において、動画撮影の操作に頻繁に用いられない操作対象物３１１については、左側に配置することができる。
【０１１４】
図８には、撮像装置１００が情報処理装置２００に装着されているが、撮像装置１００が握られていない場合に入出力部２４０に表示される表示画面の表示例（一体型カメラＵＩ３２０）を示す。一体型カメラＵＩ３２０は、情報処理装置２００を用いて撮像装置１００による撮像動作（静止画の撮像動作）を操作するための表示画面である。また、図６に示す表示例と同様に、撮像装置１００の撮像部１１０により生成された画像がライブビュー画像として入出力部２４０に表示される。
【０１１５】
［撮像装置の動作例］
図９は、本技術の第１の実施の形態における撮像装置１００による握り判定処理の処理手順の一例を示すフローチャートである。
【０１１６】
最初に、制御部１４０は、接触検出部１６０からの接触情報に基づいて、接触状態に変化が生じたか否かを判断する（ステップＳ９０１）。例えば、接触検出部１６０が複数のセンサにより構成される場合を想定する。この場合には、制御部１４０は、接触を検出するセンサの数に変化が生じた場合に、接触状態に変化が生じたと判断することができる。なお、一定（例えば、全体の２割程度の数）以上の変化が生じた場合にのみ、接触状態に変化が生じたと判断するようにしてもよい。そして、接触状態に変化が生じていな場合には（ステップＳ９０１）、監視を継続して行う。
【０１１７】
また、接触状態に変化が生じた場合には（ステップＳ９０１）、制御部１４０は、撮像装置１００の側面において接触が検出されたか否かを判断する（ステップＳ９０２）。
【０１１８】
撮像装置１００の側面において接触が検出された場合には（ステップＳ９０２）、制御部１４０は、撮像装置１００が握られていると判断する（ステップＳ９０３）。そして、制御部１４０は、その旨を示す情報（握り情報）を、無線通信部１５０、情報処理装置２００の無線通信部２３０を介して、情報処理装置２００の制御部２５０に送信する（ステップＳ９０５）。
【０１１９】
また、撮像装置１００の側面において接触が検出されない場合には（ステップＳ９０２）、制御部１４０は、撮像装置１００が握られていないと判断する（ステップＳ９０４）。そして、ステップＳ９０５に進む。
【０１２０】
また、接触状態に変化が生じた場合には（ステップＳ９０１）、制御部１４０は、撮像装置１００の側面のうち、所定領域において接触が検出されたか否かを判断するようにしてもよい（ステップＳ９０２）。ここで、所定領域は、例えば、動画撮影を行う場合に、ユーザにより握られる可能性が高い領域である。例えば、撮像装置１００における右側の領域を所定領域とすることができる。
【０１２１】
［情報処理装置の動作例］
図１０は、本技術の第１の実施の形態における情報処理装置２００による撮像モードおよびＵＩ設定処理の処理手順の一例を示すフローチャートである。
【０１２２】
最初に、制御部２５０は、情報処理装置２００に撮像装置１００が装着されているか否かを判断する（ステップＳ９１１）。情報処理装置２００に撮像装置１００が装着されていない場合には（ステップＳ９１１）、制御部２５０は、リモートＵＩを入出力部２４０に表示させる（ステップＳ９１３）。例えば、図６に示すリモートＵＩ３００が入出力部２４０に表示される。
【０１２３】
情報処理装置２００に撮像装置１００が装着されている場合には（ステップＳ９１１）、制御部２５０は、撮像装置１００からの握り情報に基づいて、撮像装置１００が握られているか否かを判断する（ステップＳ９１２）。
【０１２４】
撮像装置１００が握られている場合には（ステップＳ９１２）、制御部２５０は、撮像装置１００において動画モードを設定し、動画撮影ＵＩを入出力部２４０に表示させる（ステップＳ９１４）。例えば、図７に示す動画撮影ＵＩ３１０が入出力部２４０に表示される。また、動画モードを設定する場合には、制御部２５０は、動画モードを設定するための制御情報を撮像装置１００に送信する。
【０１２５】
また、撮像装置１００が握られていない場合には（ステップＳ９１２）、制御部２５０は、撮像装置１００において静止画モードを設定し、一体型カメラＵＩを入出力部２４０に表示させる（ステップＳ９１５）。例えば、図８に示す一体型カメラＵＩ３２０が入出力部２４０に表示される。また、静止画モードを設定する場合には、制御部２５０は、静止画モードを設定するための制御情報を撮像装置１００に送信する。なお、ステップＳ９１２、Ｓ９１４、Ｓ９１５は、特許請求の範囲に記載の制御手順の一例である。
【０１２６】
＜２．第２の実施の形態＞
本技術の第１の実施の形態では、撮像装置の握り状態に基づいて、撮像モードおよびＵＩを設定する例を示した。ここで、例えば、撮像装置が情報処理装置に装着されている場合には、その取付位置によっても、ユーザが使用する撮影方法を判定することも可能であると想定される。
【０１２７】
そこで、本技術の第２の実施の形態では、撮像装置の握り状態および情報処理装置における撮像装置の取付位置に基づいて、撮像モードおよびＵＩを設定する（切り替える）例を示す。なお、本技術の第２の実施の形態における撮像装置および情報処理装置の構成については、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０１２８】
［取付位置の判定例］
最初に、撮像装置１００の取付位置を判定する判定方法について説明する。
【０１２９】
［検出部材を用いた判定例］
例えば、撮像装置１００の装着を検出するための検出部材を情報処理装置２００に設ける。例えば、情報処理装置２００の表面（入出力部２４０が設けられている面）および裏面（撮像部２９２が設けられている面）のそれぞれにおける両端部（情報処理装置２００の長手方向の両端部）に検出部材を設ける。この検出部材として、例えば、撮像装置１００の装着を検出するためのスイッチやセンサを用いることができる。そして、その検出部材を用いて、情報処理装置２００の表面および裏面のうちのどの部分に、撮像装置１００が装着されたかを検出することができる。
【０１３０】
［入出力部を用いた判定例］
例えば、入出力部２４０を用いて撮像装置１００および情報処理装置２００間の距離を推定することができる。ここでは、入出力部２４０として、投影型静電容量方式のタッチパネルを用いる場合を想定する。この場合には、撮像装置１００の情報処理装置２００への装着面１８５（図１のｂに示す）に、投影型静電容量方式のタッチパネルに反応する素材を採用するようにする。この素材は、例えば、導電性シリコンゴムである。
【０１３１】
例えば、入出力部２４０の表示面に撮像装置１００を装着した場合には、撮像装置１００の装着面１８５に、上述した素材（例えば、導電性シリコンゴム）が採用されているため、入出力部２４０は、撮像装置１００を検出することができる。この場合に、制御部２５０は、その検出された物体のサイズに基づいて、入出力部２４０の表示面に撮像装置１００が装着されたか否かを判断することができる。例えば、撮像装置１００の装着面１８５のサイズ（表面積）を、記憶部２７０に記憶させておく。そして、制御部２５０は、その検出された物体のサイズと、記憶部２７０に記憶されているサイズとを比較し、これらが一致または略一致するか否かを判断する。ここで、略一致は、例えば、その検出された物体のサイズと、記憶部２７０に記憶されているサイズとの差分値が閾値を基準として小さい場合を意味する。
【０１３２】
そして、制御部２５０は、その検出された物体のサイズと、記憶部２７０に記憶されているサイズとが一致または略一致する場合には、入出力部２４０の表示面に撮像装置１００が装着されたと判断することができる。一方、制御部２５０は、その検出された物体のサイズと、記憶部２７０に記憶されているサイズとが一致せず、また、略一致ともならない場合には、入出力部２４０の表示面に撮像装置１００が装着されていないと判断することができる。
【０１３３】
また、入出力部２４０は、表示面における撮像装置１００の位置を検出することができる。すなわち、入出力部２４０が投影型静電容量方式のタッチパネルである場合には、入出力部２４０の表示面に装着される撮像装置１００の位置およびサイズを検出することができる。
【０１３４】
また、例えば、入出力部２４０が光センサ方式のタッチパネルである場合には、入出力部２４０の表示面に装着される撮像装置１００の位置およびサイズを検出することができる。
【０１３５】
［撮像装置および情報処理装置の使用例］
図１１は、本技術の第２の実施の形態における撮像装置１００および情報処理装置２００の使用例を示す図である。なお、図１１では、説明の容易のため、撮像装置１００および情報処理装置２００の一部を簡略化して示す。
【０１３６】
図１１のａには、撮像装置１００の側面と情報処理装置２００の側面とを装着して使用する場合の斜視図を示す。図１１のｂには、撮像装置１００の側面と情報処理装置２００の側面とを装着して使用する場合の正面図を示す。
【０１３７】
このように、撮像装置１００の側面と情報処理装置２００の側面とを装着して使用する場合には、ユーザの右手６で撮像装置１００を握った状態でも、情報処理装置２００の入出力部２４０に右手６の親指が届かないことが想定される。そこで、撮像装置１００の側面と情報処理装置２００の側面とを装着して使用する場合には、左手で操作し易いＵＩを表示することが好ましい。この表示例を図１３に示す。
【０１３８】
［撮像モードおよびＵＩの設定例］
図１２は、本技術の第２の実施の形態における撮像装置１００および情報処理装置２００に設定される撮像モードと情報処理装置２００に表示されるＵＩとの関係例を示す図である。
【０１３９】
本技術の第２の実施の形態では、撮像装置１００の情報処理装置２００への取付位置に応じて、撮像モードおよびＵＩ表示を設定する例を示す。
【０１４０】
例えば、図１１に示すように、撮像装置１００の側面と情報処理装置２００の側面とが装着されている場合には、ユーザは、撮像装置１００を右手で持った状態で動画撮影を行うことが推定される。そこで、この場合には、撮像装置１００において動画モードが設定され、情報処理装置２００において第２動画撮影ＵＩが表示される。この第２動画撮影ＵＩの表示例については、図１３に示す。
【０１４１】
なお、撮像装置１００が情報処理装置２００の正面に装着されている場合、または、撮像装置１００が情報処理装置２００に装着されていない場合については、図５に示す例と同様であるため、ここでの説明を省略する。また、図１２に示す第１動画撮影ＵＩは、本技術の第１の実施の形態で示した動画撮影ＵＩに対応する。
【０１４２】
［表示画面の表示例］
図１３は、本技術の第２の実施の形態における入出力部２４０に表示される表示画面の表示例を示す図である。
【０１４３】
図１３には、撮像装置１００の側面と情報処理装置２００の側面とが装着されている場合に入出力部２４０に表示される表示画面の表示例（第２動画撮影ＵＩ３３０）を示す。第２動画撮影ＵＩ３３０は、情報処理装置２００を用いて撮像装置１００による撮像動作（動画の撮像動作）を操作するための表示画面である。また、図６に示す表示例と同様に、撮像装置１００の撮像部１１０により生成された画像がライブビュー画像として入出力部２４０に表示される。
【０１４４】
［情報処理装置の動作例］
図１４は、本技術の第２の実施の形態における情報処理装置２００による撮像モードおよびＵＩ設定処理の処理手順の一例を示すフローチャートである。なお、ステップＳ９２１、Ｓ９２４、Ｓ９２５、Ｓ９２７、Ｓ９２８は、図１０に示すステップＳ９１１乃至Ｓ９１５に対応するため、ここでの説明を省略する。
【０１４５】
情報処理装置２００に撮像装置１００が装着されている場合には（ステップＳ９２１）、制御部２５０は、撮像装置１００が情報処理装置２００の側面に装着されているか否かを判断する（ステップＳ９２２）。例えば、情報処理装置２００の側面に、撮像装置１００の装着を検出するための検出部材（例えば、スイッチ）を設け、その検出部材により、撮像装置１００の情報処理装置２００の側面への装着を検出することができる。
【０１４６】
撮像装置１００が情報処理装置２００の側面に装着されている場合には（ステップＳ９２２）、制御部２５０は、撮像装置１００において動画モードを設定し、第２動画撮影ＵＩを入出力部２４０に表示させる（ステップＳ９２６）。例えば、図１３に示す第２動画撮影ＵＩ３３０が入出力部２４０に表示される。また、動画モードを設定する場合には、制御部２５０は、動画モードを設定するための制御情報を撮像装置１００に送信する。
【０１４７】
撮像装置１００が情報処理装置２００の側面に装着されていない場合には（ステップＳ９２２）、制御部２５０は、撮像装置１００が情報処理装置２００の正面に装着されているか否かを判断する（ステップＳ９２３）。例えば、情報処理装置２００の正面に、撮像装置１００の装着を検出するための検出部材（例えば、スイッチ）を設け、その検出部材により、撮像装置１００の情報処理装置２００の正面への装着を検出することができる。
【０１４８】
撮像装置１００が情報処理装置２００の正面に装着されている場合には（ステップＳ９２３）、ステップＳ９２４に進む。一方、撮像装置１００が情報処理装置２００の正面に装着されていない場合には（ステップＳ９２３）、ステップＳ９２５に進む。
【０１４９】
このように、制御部２５０は、情報処理装置２００における撮像装置１００の装着位置と、撮像装置１００から送信された接触情報とに基づいて、撮像動作に関する制御を行うことができる。
【０１５０】
なお、撮像装置１００の情報処理装置２００の側面または正面への装着を検出する検出方法は一例であり、他の検出方法を用いるようにしてもよい。
【０１５１】
［他の取付例］
図１５は、本技術の第２の実施の形態における撮像装置１００および情報処理装置２００の取付例を示す図である。
【０１５２】
図１５のａ乃至ｃに示すように、例えば、図１１に示す例とは異なる側面（情報処理装置２００における側面）に撮像装置１００を取り付けることができる。これらの場合には、図１、図２等に示す取付部材１８１、１８２とは異なる取付部材を用いて、撮像装置１００を情報処理装置２００に取り付けることができる。これにより、ユーザの好みに応じた位置（情報処理装置２００における位置）に撮像装置１００を取り付けることができる。また、撮像装置１００の取付位置に応じた撮像モードおよびＵＩの設定を、ユーザの好みに応じて変更するようにしてもよい。
【０１５３】
このように、本技術の実施の形態によれば、撮像装置１００および情報処理装置２００の使用態様に応じた撮像動作に関する制御を適切に行うことができる。例えば、撮像装置１００の握り方に応じた適切な撮像動作の制御を行うことができる。この場合には、例えば、撮像装置１００の握り方に応じた適切な撮像モードおよびＵＩを設定することができる。
【０１５４】
なお、本技術の実施の形態では、情報処理装置２００の制御により撮像モードおよびＵＩを設定する例を示したが、撮像装置１００の制御により撮像モードおよびＵＩを設定するようにしてもよい。例えば、撮像装置１００の制御部１４０は、接触検出部１６０からの接触情報と、情報処理装置２００への装着の有無とに基づいて、撮像モードおよびＵＩを設定するための制御を行うことができる。この場合には、撮像装置１００の制御部１４０は、設定すべきＵＩに関する情報を無線通信部１５０、無線通信部２３０を介して情報処理装置２００の制御部２５０に通知することにより、情報処理装置２００におけるＵＩを設定することができる。すなわち、撮像装置１００の制御部１４０は、鏡筒１７０における物体の接触状態に基づいて、撮像動作に関する制御を行うことができる。
【０１５５】
また、本技術の実施の形態では、撮像装置１００および情報処理装置２００が異なる機器とする例を示したが、１つの機器（例えば、撮像部（鏡筒を含む）を備える情報処理装置）についても、本技術の実施の形態を適用することができる。例えば、一体型カメラについても、本技術の実施の形態を適用することができる。例えば、光学系を収容する鏡筒における物体の接触状態（例えば、ユーザによる手の接触状態）に基づいて、撮像モード（静止画モード、動画モード）やＵＩを設定することができる。
【０１５６】
また、本技術の実施の形態では、撮像装置１００の鏡筒１７０における物体の接触状態を撮像装置１００側で行う例を示したが、撮像装置１００の鏡筒１７０における物体の接触状態を情報処理装置２００側で行うようにしてもよい。例えば、情報処理装置２００にタッチセンサを設け、情報処理装置２００における物体の接触状態（情報処理装置２００の握り状態）を検出する。なお、物体の接触状態と、撮像装置１００の装着状態とは、異なる検出方法で行うことが好ましい。また、情報処理装置２００の姿勢検出部２１０（例えば、姿勢検出センサ、ＧＰＳ）により情報処理装置２００の移動を検出する。この場合に、情報処理装置２００の移動が検出され、かつ、情報処理装置２００における物体の接触が検出されていない場合には、撮像装置１００が握られていると判断することができる。
【０１５７】
また、同一の撮像モードが設定されている状態で、表示態様を切り替えるようにしてもよい。例えば、動画モードが設定されている状態で、静止画のＵＩおよび動画のＵＩの何れかを表示させることができる。
【０１５８】
なお、本技術の実施の形態では、円筒形（円柱形）の撮像装置１００を例にして説明したが、他の装置に取り付けることが可能な他の形状の撮像装置についても、本技術の実施の形態を適用することができる。また、無線通信（例えば、Ｗｉ−Ｆｉ）を利用した他の装置への接続が可能な撮像装置についても、本技術の実施の形態を適用することができる。また、本技術の実施の形態では、スマートフォン、タブレット端末等の情報処理装置２００を例にして説明したが、無線通信を利用して撮像装置と接続することが可能な他の装置についても、本技術の実施の形態を適用することができる。
【０１５９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１６０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１６１】
なお、本明細書に記載された効果はあくまで例示であって、限定されるものではなく、また、他の効果があってもよい。
【０１６２】
なお、本技術は以下のような構成もとることができる。
（１）
光学系を収容する鏡筒における物体の接触状態に基づいて撮像動作に関する制御を行う制御部を具備する情報処理装置。
（２）
前記制御部は、前記鏡筒の側面において物体の接触が検出されたか否かに基づいて前記鏡筒がユーザにより握られた状態であるか否かを判断し、当該判断結果に基づいて前記撮像動作に関する制御を行う前記（１）に記載の情報処理装置。
（３）
前記制御部は、前記鏡筒の側面における所定領域で物体の接触が検出された場合には前記鏡筒がユーザにより握られた状態であると判断する前記（２）に記載の情報処理装置。
（４）
前記鏡筒を備える撮像装置との間で無線通信を行う無線通信部をさらに具備し、
前記撮像装置は、前記鏡筒における物体の接触状態に関する接触情報を前記情報処理装置に無線通信を利用して送信し、
前記制御部は、前記接触情報に基づいて前記撮像動作に関する制御を行う
前記（１）から（３）のいずれかに記載の情報処理装置。
（５）
前記制御部は、前記撮像装置との相対的な位置関係と前記接触情報とに基づいて前記撮像動作に関する制御を行う前記（４）に記載の情報処理装置。
（６）
前記制御部は、前記撮像装置が前記情報処理装置に装着され、かつ、前記撮像装置により前記物体の接触が検出された場合には、前記撮像装置に動画モードを設定するための制御を行う前記（５）に記載の情報処理装置。
（７）
前記制御部は、前記撮像装置が前記情報処理装置に装着され、かつ、前記撮像装置により前記物体の接触が検出された場合には、前記動画モードに対応する表示画面を表示部に表示させる制御を行う前記（６）に記載の情報処理装置。
（８）
前記制御部は、前記撮像装置が前記情報処理装置に装着され、かつ、前記撮像装置により前記物体の接触が検出されていない場合には、前記撮像装置に静止画モードを設定するための制御を行う前記（５）から（７）のいずれかに記載の情報処理装置。
（９）
前記制御部は、前記撮像装置が前記情報処理装置に装着され、かつ、前記撮像装置により前記物体の接触が検出されていない場合には、前記静止画モードに対応する表示画面を表示部に表示させる制御を行う前記（８）に記載の情報処理装置。
（１０）
前記制御部は、前記情報処理装置における前記撮像装置の装着位置と前記接触情報とに基づいて前記撮像動作に関する制御を行う前記（５）から（９）のいずれかに記載の情報処理装置。
（１１）
前記制御部は、前記物体の接触状態に基づいて前記撮像動作を行うための撮像モードを設定する制御を行う前記（１）から（１０）のいずれかに記載の情報処理装置。
（１２）
前記制御部は、前記物体の接触状態に基づいて前記撮像動作に関する画像を表示する表示画面の表示態様を変更する制御を行う前記（１）から（１１）のいずれかに記載の情報処理装置。
（１３）
光学系を収容する鏡筒における物体の接触状態に基づいて撮像動作に関する制御を行う制御部を具備する撮像装置。
（１４）
光学系を収容する鏡筒における物体の接触を検出する接触検出部と、前記検出された物体の接触に関する接触情報を情報処理装置に無線通信を利用して送信する制御を行う制御部とを備える撮像装置と、
前記撮像装置との間で無線通信を行う無線通信部と、前記接触情報に基づいて前記撮像装置を用いて行われる撮像動作に関する制御を行う制御部とを備える情報処理装置と
を具備する撮像システム。
（１５）
光学系を収容する鏡筒における物体の接触状態に基づいて撮像動作に関する制御を行う制御手順を具備する情報処理装置の制御方法。
（１６）
光学系を収容する鏡筒における物体の接触状態に基づいて撮像動作に関する制御を行う制御手順をコンピュータに実行させるプログラム。
【符号の説明】
【０１６３】
１００  撮像装置
１１０  撮像部
１２０  画像処理部
１３０  記憶部
１４０  制御部
１５０  無線通信部
１６０  接触検出部
１７０  鏡筒
１８０  アダプタ
１８１、１８２  取付部材
１８５  装着面
２００  情報処理装置
２１０  姿勢検出部
２２０  操作受付部
２２１〜２２３  操作部材
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
2016005239.tif 000003
【図２】
2016005239.tif 000004
【図３】
2016005239.tif 000005
【図４】
2016005239.tif 000006
【図５】
2016005239.tif 000007
【図６】
2016005239.tif 000008
【図７】
2016005239.tif 000009
【図８】
2016005239.tif 000010
【図９】
2016005239.tif 000011
【図１０】
2016005239.tif 000012
【図１１】
2016005239.tif 000013
【図１２】
2016005239.tif 000014
【図１３】
2016005239.tif 000015
【図１４】
2016005239.tif 000016
【図１５】
2016005239.tif 000017